(57)【特許請求の範囲】
【請求項１】
目標位置からの回転子軸の偏位の際に半径方向および場合によっては軸線方向に戻す磁気力を有する回転子軸（４、３４）の磁気軸受装置（２、２０、２６）において、
回転子ブロック（３、２４、３０）が回転子軸（４、３４）に結合された第１の軸受部分（５、３１）を含み、
回転子ブロック（３、２４、３０）が位置固定の第２の軸受部分（１１、２９）により囲まれ、
両軸受部分の一方が、強磁性材料から成る中間要素（８ａ〜８ｅ；２２ｋ）によりそれぞれ完全に満たされている中間空間により相互に間隔をあけられている多数の交互の極性の永久磁石要素（６ａ〜６ｆ；２１ｉ、２１ｊ）を含み、各中間要素（８ａ〜８ｅ；２２ｋ）の軸線方向の厚み（ｄ２）は各永久磁石要素（６ａ〜６ｆ；２１ｉ、２１ｊ）の軸線方向の厚み（ｄ１）よりも小さく、
両軸受部分の他方が高Ｔｃ超伝導材料を有する構造（１２、３２）を有し、
回転子軸（４、３４）が少なくとも第１の軸受部分に向けられた管状の縁範囲内で非磁性材料から成り、
強磁性の中間要素（８ａ〜８ｅ；２２ｋ）が、永久磁石要素（６ａ〜６ｆ；２１ｉ、２１ｊ）から発する磁束を、超伝導構造（１２、３２）に向けられた側に集中させ、
超伝導構造（１２、３２）が高Ｔｃ超伝導材料から成る粒子を有し、その超伝導材料の結晶ａ‐ｂ面の少なくとも大部分が回転子ブロック（３、２４、３０）の外面に対してほぼ平行に向けられ、それらの粒子のうち多数はそれぞれ少なくとも各永久磁石要素（６ａ〜６ｆ；２１ｉ、２１ｊ）の軸線方向の厚み（ｄ１）よりも大きい平均直径を有する
ことを特徴とする回転子軸の磁気軸受装置。
【請求項２】
高Ｔｃ超伝導材料から成る粒子の平均粒子直径が永久磁石要素（６ａ〜６ｆ；２１ｉ、２１ｊ）の軸線方向の厚み（ｄ１）と強磁性の中間要素（８ａ〜８ｅ；２２ｋ）の軸線方向の厚み（ｄ２）との和よりも大きいことを特徴とする請求項１記載の装置。
【請求項３】
回転子軸（４）に結合された第１の軸受部分（５）が永久磁石要素（６ａ〜６ｆ；２１ｉ、２１ｊ）を含んでいることを特徴とする請求項１または２記載の装置。
【請求項４】
回転子軸（３４）に結合された第１の軸受部分（３１）が高Ｔｃ超伝導材料を有する構造（３２）を含んでいることを特徴とする請求項１または２記載の装置。
【請求項５】
回転子軸（３４）内に高Ｔｃ超伝導材料を冷却する冷却材に対する少なくとも１つの冷却材溝（３５）が設けられていることを特徴とする請求項４記載の装置。
【請求項６】
永久磁石要素（６ａ〜６ｆ）が回転子軸（４）の軸線（Ａ）の方向に相前後して配置されていることを特徴とする請求項１ないし５の１つに記載の装置。
【請求項７】
周縁方向に見て交互の極性を有する永久磁石要素（２１ｉ、２１ｊ；２７ｉ、２７ｊ）が回転子軸（４）の軸線（Ａ）の方向に長く延びていることを特徴とする請求項１ないし５の１つに記載の装置。
【発明の詳細な説明】
【０００１】
【産業上の利用分野】
本発明は、目標位置から回転子軸が偏位した際に半径方向および場合によっては軸線方向に戻す磁気力を有する回転子軸の磁気軸受装置に関する。このような磁気軸受装置は米国特許第５１９６７４８号明細書から公知である。
【０００２】
【従来の技術】
磁気軸受は運動部分の無接触かつ無摩耗の軸受を可能にする。それらは潤滑剤を必要とせず、また低摩擦に構成することができる。その際に回転子ブロックは気密に、たとえば真空密にこのブロックを囲む外部空間から隔てられる。
【０００３】
従来の通常の磁気軸受は固定子の固定電磁石とそれと一緒に回転する回転子ブロックの強磁性要素との間の磁気力を利用するものである。磁気力はこの軸受形式では常に吸引力である。その結果原理的には、すべての３つの空間方向での本質的に安定な軸受は達成され得ない（“Ｔｒａｎｓａｃｔｉｏｎｓ  ｏｆ  ｔｈｅ  Ｃａｍｂｒｉｄｇｅ  Ｐｈｉｌｏｓｏｐｈｉｃａｌ  Ｓｏｃｉｅｔｙ”、第７巻、１９８２、第９７〜１２０頁の“Ｅａｒｎｓｈａｗ”理論を参照）。従ってこのような磁気軸受は、位置センサおよび調節回路を介して保持磁石の電流を制御し、また回転子ブロックの目標位置からの偏差を補償する能動的な位置調節を必要とする。マルチチャネルに構成すべき調節は費用のかさむパワーエレクトロニクスを必要とする。調節回路の突然の故障に対しては追加的に機械的な安全軸受が設けられていなければならない。このような磁気軸受はたとえばターボ分子ポンプ、超遠心、工作機械の高速回転スピンドルおよび回転陽極を有するＸ線管において使用される。電動機、発電機、タービンおよび圧縮機における使用も意図されている。
【０００４】
超伝導体は新しい形式の磁気軸受を可能にする。軸受部分の１つはここでは、位置変化の際に超伝導体部分における磁界変化の結果として遮蔽電流を誘起する永久磁石要素により形成される。その結果生ずる力は反発力または吸引力であってよいが、常にそれらが目標位置からの偏位を補償するように向けられている。その際に従来の磁気軸受と異なり、本質的に安定な軸受が達成される（たとえば“Ａｐｐｌ．Ｐｈｙｓ．Ｌｅｔｔ．”、第５３巻、第１６号、１９８８、第１５５４〜１５５６頁を参照）。従来の磁気軸受と比較して、ここでは費用がかさみまた故障しやすい調節は省略されるが、しかし超伝導材料の冷却が必要である。
【０００５】
このような超伝導軸受部分はたとえば液体窒素により冷却される物質系Ｙ‐Ｂａ‐Ｃｕ‐Ｏをベースとする１９８７年以来公知の金属酸化物高ＴC 超伝導材料に対する最初の使用分野である。このような材料はこれまでマッシブな形態で多結晶でのみ製造されていた。
【０００６】
冒頭に記載した米国特許第５１９６７４８号明細書から公知の軸受装置では、回転子軸に軸線方向に相前後して位置する多数の環板状の永久磁石要素が取付けられている。これらの要素は、軸線方向に見て交互の極性が生ずるようにされている。隣接する要素の間にそれぞれ比較的薄い金属（シム）要素が配置されている。これらの中間要素は先ず第一に、各中間要素にその軸受間隙のほうに向けられた側に実質的に無磁界の間隙が生ずるように、隣接する永久磁石要素の磁束線を空間的かつ磁気的に隔てる課題を有する。こうして構成された回転子ブロックはたとえばＹＢａ2 Ｃｕ3 ＯX のような高ＴC 超伝導材料から成る位置固定の中空円筒状の構造により囲まれている。この構造は液体窒素（ＬＮ2 により約７７Ｋに保たれる。さらに上記の米国特許明細書には、高い透磁率を有する強磁性材料から成る回転子軸が示されている。従って、永久磁石要素から発せられた磁束は大部分がこの回転子軸を経て閉じることが認められた。その結果、主として永久磁石要素とそれらにそれぞれ対応付けられている中間要素との間の分離線に生ずる高ＴC 超伝導材料から成る中空円筒状の構造と相互作用する磁束は相応に弱められている。その場合、超伝導構造において生ずるべき遮蔽電流は、特により重い重量を有する回転子ブロックの安定な軸受を保証するためには小さ過ぎるおそれがある。
【０００７】
【発明が解決しようとする課題】
従って本発明の課題は、冒頭に記載した特徴を有する軸受装置を、このようなおそれがもはや生じないように構成することにある。回転子軸のほぼ軸線方向および半径方向に安定で、無接触かつ無摩耗で、低摩擦の軸受が行われるべきである。その際に慣性力および軸受剛固性は、電動機、発電機、ポンプ、遠心機、フライホイールエネルギー蓄積装置のような機械における機械的軸受を置換し得るのに十分でなければならない。さらに、冷却装置の故障の際にも軸受装置が安全運転特性を有しているべきである。
【０００８】
【課題を解決するための手段】
この課題は、本発明によれば、目標位置からの回転子軸の偏位の際に半径方向および場合によっては軸線方向に戻す磁気力を有する回転子軸の磁気軸受装置において、
回転子ブロックが回転子軸に結合された第１の軸受部分を含み、
回転子ブロックが位置固定の第２の軸受部分により囲まれ、
両軸受部分の一方が、強磁性材料から成る中間要素によりそれぞれ完全に満たされている中間空間により相互に間隔をあけられている多数の交互の極性の永久磁石要素を含み、各中間要素の軸線方向の厚みは各永久磁石要素の軸線方向の厚みよりも小さく、
両軸受部分の他方が高Ｔｃ超伝導材料を有する構造を有し、
回転子軸が少なくとも第１の軸受部分に向けられた管状の縁範囲内で非磁性材料から成り、
強磁性の中間要素が、永久磁石要素から発する磁束を、超伝導構造に向けられた側に集中させ、
超伝導構造が高Ｔｃ超伝導材料から成る粒子を有し、その超伝導材料の結晶ａ‐ｂ面の少なくとも大部分が回転子ブロックの外面に対してほぼ平行に向けられ、それらの粒子のうち多数はそれぞれ少なくとも各永久磁石要素の軸線方向の厚みよりも大きい平均直径を有することによって解決される。
【０００９】
その際に本発明は、永久磁石要素から出る磁束がほぼ強磁性の要素を経て導かれ、従ってこれらの強磁性の要素の超伝導構造に向けられた端部に比較的大きい磁束が得られるという利点が生ずるという認識から出発する。従ってこれにより軸受剛固性が相応に高い。その際に磁気軸受装置は少なくとも１つのラジアル軸受として作用する。さらに、磁気軸受装置に対して磁気的に粒子状の高ＴC 超伝導材料のみが用意されればよいことは有利である。その磁気的特性は結晶粒の内部を循環して非可逆的磁化に通ずる循環電流により決定される（たとえばドイツ特許出願公開第３８２５７１０号明細書参照）。それによって、結晶粒界を経ての満足でない電流輸送の問題が回避され得る。そのために結晶粒は十分に大きい平均直径を有していなければならないことが認められた。その際に平均粒子直径は、好ましくは軸受間隙のほうに向けられた超伝導構造の表面に対して少なくとも近似的に平行に向けられるべき高ＴC 超伝導材料の結晶ａ‐ｂ面内で考察される。その際に“粒子”（または同じ意味で結晶）とは、単位結晶配列を有する超伝導材料組織の、その縁で隣接する範囲と粒子境界を形成する結晶性範囲を意味する。
【００１０】
軸受装置の特別な実施態様によれば、回転子軸と結合された第１の軸受部分は高ＴC 超伝導材料を有する構造を含んでいる。このような実施態様は、軸受装置が低温に冷却された常伝導または超伝導巻線を有し、その際に軸も低温状態にある発電機または電動機回転子の一部である場合に特に有利である。その際に無接触であるために、軸を経ての熱流入は生じない。
【００１１】
軸受装置の別の特別な実施態様によれば、軸の軸線の方向に長く延びている永久磁石要素が周縁方向に見て交互の極性を有する。軸受装置のこのような実施態様は、軸を介して駆動電力が伝達されるべきときに特に有利である。すなわち、この軸受際置は結合特性を有する。その際に有利には永久磁石要素により回転子ブロックを囲む位置固定の軸受部分が形成される。しかし、相応の実施態様は回転子ブロックに対しても可能である。軸線方向に長く延びた永久磁石要素を有する特別な軸受装置は同じく有利には、冷却される巻線を有する発電機または電動機軸の冷却される軸に対しても設けることができる。
【００１２】
【実施例】
以下、本発明の実施例を図面を参照して詳細に説明する。図面中で相応する部分には同一の符号が付されている。
【００１３】
図１に全体として符号２を付して示されている軸受装置では、回転軸４と結合され多数のたとえば６個の環板状の永久磁石要素６ａないし６ｆを有する第１の軸受部分５を有する回転子ブロックを含んでいる実施例が基礎とされている。これらの要素はそれぞれ、軸線Ａの方向に見て極性が要素から要素へ逆向きにされているような極性にされている。個々の極性は図面中に矢線７により示されている。永久磁石要素６ａないし６ｆの間に強磁性材料、たとえば鉄から成る環板状の要素８ａないし８ｅが配置されている。さらに、外側の永久磁石要素６ａおよび６ｆの端面側の外面には要素８ａないし８ｅに相応の強磁性要素８ｆおよび８ｇが設けられている。これらの要素８ａないし８ｇの強磁性材料は磁束を回転子ブロック３の円筒状の外面に集中させる役割をし、またそれにより軸受装置２の保持力を高める。同時に要素８ａないし８ｇは一般に脆い材料から成る永久磁石要素６ａないし６ｆを有する回転子ブロック３を機械的に強化する。すべての要素６ａないし６ｆおよび８ａないし８ｇはスタック状に相前後して回転軸４に取付けられている。回転軸４は有利には非磁性材料、たとえば特殊鋼から成っている。
【００１４】
しかし永久磁石要素のスタックは、場合によっては強磁性の軸部分を囲む非磁性材料から成る管状の保持ブロックの上に載せられていてもよい。その場合に軸の中空円筒状の縁範囲をなすこの保持ブロックの壁厚は、磁極の軸線方向の厚みの少なくとも半分、すなわち（ｄ１＋ｄ２）／２であるべきであろう。しかし一般に回転子軸全体は非磁性材料から成っている。
【００１５】
強磁性要素８ａないし８ｇの外側輪郭および場合によっては永久磁石要素６ａないし６ｆの外側輪郭はスタックおよび固定の後にたとえば接着技術により、または研磨または旋盤加工により均等な円筒状の形態にもたらされる。強磁性材料により磁界は回転対称であり、その際に同時に永久磁石要素の磁界内の不均等性が補正される。
【００１６】
要素６ａないし６ｆの永久磁石材料は少なくとも２０ＭＧＯｅの最大エネルギー積（Ｂ×Ｈ）maxを有するべきであり、また特にネオジム（Ｎｄ）‐鉄（Ｆｅ）‐ホウ素（Ｂ）合金または場合によってはサマリウム（Ｓｍ）‐コバルト（Ｃｏ）合金から成っている。最高可能な磁気軸受圧力ｐmは、超伝導体が理想的でありかつ回転子ブロック３とそれを囲む固定子との間に構成される軸受間隙１０が零であるという仮定のもとに、ｐm＝μ0×Ｈ2／２である。
【００１７】
この軸受圧力は、固定子に対して用いられている超伝導体材料によらずに、軸受間隙１０内に達成可能な磁界Ｈにより予め定められる。そのために重要なパラメータは永久磁石材料の保磁力ＨC である。従って永久磁石材料としては特にＮｄＦｅＢが考慮の対象になる。なぜならばそれは比較的高い保磁力ＨC を有するからである。ＳｍＣｏは室温にくらべて７７Ｋでは約１０％高い保磁力ＨC を有し、その場合にＮｄＦｅＢの保磁力ＨC と比較可能になる。従って場合によっては永久磁石材料の冷却も考慮の対象になる。
【００１８】
環板状の永久磁石要素の半径方向の広がりは軸線方向のその厚みｄ１の少なくとも２倍であることが有利である。それにくらべて強磁性中間要素８ａないし８ｇの各々の軸線方向の厚みｄ２は厚みｄ１よりも小さく選ばれるのが有利である。特に厚みｄ２は厚みｄ１の１／１０ないし２／１０に選ばれる。
【００１９】
図２には、磁極幅Ｌの個々の磁極において発生される界線ｆの分布が図１による回転子ブロック３の一部を通る縦断面図で示されている。図２からわかるように、隣接する永久磁石要素（たとえば６ｄ、６ｅ）から生ずる磁束はほぼ共通の強磁性中間要素（８ｄ）に集中され、またこうして高い磁束密度でこの中間要素を経て幅ｗの軸受間隙内に出る。この軸受間隙内で磁束はそれぞれ隣接する中間要素（８ｃまたは８ｅ）に向かって閉じる。回転子ブロック３を囲み軸受間隙１０を形成する位置固定の超伝導構造は符号１２を付して示されており、そのなかに個々の磁極により発生された磁束に相応する電流が誘起される。回転子軸４の側で磁束は軸の非磁性材料の範囲内で閉じる。それによってそこで有利なことに、軸受間隙１０内に出る磁束の減少に通ずるであろう磁気短絡の発生が回避される。図２に示されている磁界分布に対しては、３．４ｍｍの軸線方向の厚みｄ１および１５ｍｍの半径方向の広がりａを有するＮｄＦｅＢ（Ｈｃ≒９×１０5Ａ／ｍ）から成る永久磁石要素と、０．６ｍｍの軸線方向の厚みｄ１および０．４ｍｍの間隙幅ｗを有する軟鉄から成る中間要素とが仮定されている。その際に超伝導構造１２はその結晶（粒子）内に約１０5Ａ／ｃｍ2の臨界的電流密度を有した。
【００２０】
回転子ブロック３は、軸受間隙１０により隔てられて、中空円筒状の第２の位置固定の軸受部分１１により囲まれており、その際に間隙幅ｗは強磁性中間材料８ａないし８ｇの厚みｄ２のオーダーである。固定子を形成する軸受部分１１はその回転子ブロック３に向けられた内側に、ＬＮ2 冷却を許す公知の高ＴC 超伝導材料の一つから成る超伝導材料を有する。
【００２１】
高ＴC 超伝導材料の結晶の有限な粒子の大きさ、超伝導材料内の不十分な結晶組織ならびに永久磁石要素の制限された半径方向の広がりは磁気的な軸受力を制限し得る。最大の保持力は、結晶粒界電流密度（個々の粒子内の電流密度）ｊC に対して下記の両条件が成り立つときにのみ達成される。
１）ｊC ＞＞ＨC ／Ｌ
ここでＬは強磁性中間要素の中心からそれに隣接する要素までの磁極幅である。従ってＬ＝ｄ１＋ｄ２である。
２）高ＴC 超伝導材料から成る結晶粒の大部分は、所望の超伝導電流が生じ得るように、軸受間隙１０に向けられた超伝導構造１２の表面に対して少なくとも近似的に平行にその平均粒径が厚みｄ１よりも、好ましくは永久磁石要素のスタック内の磁極幅Ｌよりも大きくなければならない。さもなければ、永久磁石材料ではなく超伝導材料が保持力を制限する。条件２）のゆえに、本発明による軸受装置に対して、結晶（粒子）の多数（すなわち５０％以上）が軸受間隙１０に対して少なくとも近似的に平行に少なくとも永久磁石要素の軸線方向の厚みｄ１よりも大きい広がりを有する高ＴC 超伝導材料が用いられると有利である。好ましくは結晶の広がりはＬ＝ｄ１＋ｄ２よりも大きい。
【００２２】
上記の条件１）および２）をほぼ満足するため、超伝導材料として特に組織化されたＹＢａ2 Ｃｕ3 Ｏ7-X が考慮の対象となる。その際に結晶ａ‐ｂ面が回転子ブロック３の外面に対してほぼ平行に向けられていると有利である。超伝導材料には有利にはＹＢａ2 ＣｕＯ5 の細かく分布した析出が存在していてもよい。相応の材料はたとえば急冷‐融解‐成長法（“Ｓｕｐｅｒｃｏｎｄ．Ｓｃｉ．Ｔｅｃｈｎｎｏｌ．”、第５巻、１９９２年、第１８５〜２０３頁参照）により製造され、また７７Ｋにおいて数１０4 Ａ／ｃｍ2 の臨界電流密度を有するべきであろう。その際に結晶の平均的粒子の大きさ（粒径）は永久磁石要素の軸線方向の厚みよりも大きくなければならず、その際に粒子の大きさは結晶ａ‐ｂ面内で考察される。
【００２３】
軸受部分１１の超伝導部分は、図３によれば、保持ブロック１３内の複数個の扇状の中空円筒状部分から１つの構造１２として構成され、またその内側輪郭が軸受間隙１０の円筒形状を形成するように加工することができる。図面に示されている断面図では高ＴC 超伝導材料からなる８つの扇状部分１２ｉ（１≦ｉ≦８）が固定子として設けられている。その際に超伝導結晶の結晶学的基本面は、個々の扇状部分内で軸受間隙１０の表面にほぼ平行に向けられるように、約±３０°の角度内に向けられている。強磁性の中間要素８ａないし８ｇの端部にわたり超伝導材料内に誘起される高い遮蔽電流の結果として磁界は超伝導材料内にわずかしか入り込まず、またこうして相応に高い軸受力および軸受の高い剛固性に通ずる。超伝導材料は回転子軸の軸線のまわりの均等な回転の際に強磁性材料により比較的小さい交番磁界振幅ΔＨしか受けず、このことは相応に制限された磁化損失Ｐ（ΔＨ3 に比例）に通じ、またこうして相応に小さい軸受摩擦に通ずる。
【００２４】
さらに図１からわかるように、扇状部分１２ｉ内の超伝導材料は構造１２の外側において保持ブロック１３内の冷却溝１４を介して外部貯蔵容器からの液体窒素（ＬＮ2 ）により冷却される。充満状態報知器が予め定められたしきい以下への冷却剤の低下の際に、軸受装置の保持作用が温度上昇の結果として減少する前に、遮断信号を発する。
【００２５】
回転子ブロック３の範囲の外側に軸受装置２は、超伝導材料がその作動温度以上にあるかぎり、軸受力を停止の際に受け持つ沈下可能な保持および中心合わせ装置１５を有する。この装置は、回転子ブロック３がその頂点においてほぼまたは完全に超伝導構造１２に接触するまで、軸４を持ち上げる。同時に軸受位置が軸線方向および横方向に中心合わせされる。この中心合わせは、図１からわかるように、たとえば軸線Ａにおける溝１７および刃状の台１８により行われる。冷却の後に装置１５は軸４を沈下させる。それと結び付けられる超伝導材料内の磁界変化の結果としてそのなかに電流が誘起される。こうして、増大する電磁力が回転子ブロック３とそれを囲む固定子との間に生じ、この電磁力は、回転子ブロック３が軸受間隙１０のほぼ中心に自由に浮くまで、運動方向に逆に作用する。その際に磁気力は下側軸受範囲内では反発作用し、他方において上側軸受範囲内では吸引力が加わる。このことは、回転子ブロック３がより大きい距離から沈下させられ、またそこで反発力のみが生ずる公知の軸受にくらべての利点である。本発明による軸受装置によれば、１０バールまでの軸受圧力と、半径方向および軸線方向の回転子のずれに対する軸受装置の優れた剛固性とが達成される。
【００２６】
図１に示されている軸受装置の実施例では、磁気力がそれぞれ軸４を環状に囲む永久磁石力６ａないし６ｆにより発生されることを前提条件にしている。図４に示されている本発明による別の軸受装置２０の実施例では、周縁方向に見て交互の極性の永久磁石要素２１ｉ、２１ｊ（１≦ｉ≦ｎ、１≦ｊ≦ｎ）およびそれらの間に延びている軸線平行なストリップの形態の強磁性要素２２ｋ（１≦ｋ≦２ｎ）が中空円筒状に軸４のまわりに組立てられている。隣接する永久磁石要素２１ｉと２１ｊとの間の周縁方向に交互の極性は図面中に同様に再び矢線により示されている。こうして形成された要素２１ｉ、２１ｊ、２１ｋから成る第１の軸受部分５を有する暖かい回転子ブロック２４は同じく、超伝導の中空円筒状の構造１２を有する冷たい第２の軸受部分１１および保持ブロック１３により囲まれている。図４に示されている装置２０はラジアル軸受として、また同時に無接触の磁気カップリングとして作用する。すなわち、同時に軸線方向の回転モーメントを伝達することができる。例として超伝導の巻線を有する回転子が駆動側でこのような軸受により、また反対側で前記のようなラジアル軸受により軸受されて固定子内で完全に無接触に回転する。超伝導構造１２の上面の薄いスリーブは、外側範囲に対する熱的絶縁を保証するため、真空密の囲いのなかに収めることができる。
【００２７】
本発明による軸受装置２または２０の図１ないし４に示されている実施例では、それぞれ暖かい（第１の）軸受部分が固定子としての冷たい（第２の）軸受部分により囲まれている回転子ブロック３または２４に一体化されることを前提としている。しかし同じく良好に、高ＴC 超伝導材料を有する冷たい軸受部分を一緒に回転させ、また永久磁石材料を有する暖かい軸受部分を固定子として構成することも可能である。軸受装置のこのような実施例においても環板状の永久磁石要素（図１に相応）または軸線方向の永久磁石要素（図３に相応）が設けられる。図５にはこのような軸線方向の永久磁石要素２７ｉ、２７ｊ（１≦ｉ≦ｊ；１≦ｊ≦ｎ）を有する軸受装置２６の実施例が示されている。これらの要素はそれぞれ強磁性材料から成るストリップ状の要素２８ｋを介して間隔をあけられており、またこれらと共に位置固定の中空円筒状の（第２の）軸受部分２９を形成する。この軸受部分は高ＴC 超伝導材料を有する中空円筒状の超伝導構造３２を含んでいる他方の（第１の）軸受部分３１を有する回転子ブロック３０を囲む。この実施例では非磁性材料から成る回転子軸３４は同時に少なくとも１つの特に中央の冷却材溝３５を有する。冷たい回転子ブロックを有する相応の軸受装置は有利なことに、高ＴC 超伝導材料から成る巻線を有する発電機または電動機回転子の一部分とすることができる。その際に軸も低温状態にある。無接触性の結果として軸を経ての熱流入は生じない。
【図面の簡単な説明】
【図１】本発明による軸受装置の第１の実施例の斜視図。
【図２】この装置の一部分における磁界線分布図。
【図３】この装置の超伝導構造を示す概略図。
【図４】本発明による軸受装置の別の実施例の斜視図。
【図５】本発明による軸受装置の更に別の実施例の断面図。
【符号の説明】
２、２０、２６    軸受装置
３、２４、３０    回転子ブロック
４、３４    回転子軸
５、３１    第１の軸受部分
６ａ〜６ｆ、２１ｉ、２１ｊ、２７ｉ、２７ｊ    永久磁石要素
８ａ〜８ｅ、２２ｋ    中間要素
１１、２９    第２の軸受部分
１２、３２    超伝導構造
【図１】
0003961032.tif 000002
【図２】
0003961032.tif 000003
【図３】
0003961032.tif 000004
【図４】
0003961032.tif 000005
【図５】
0003961032.tif 000006